(57)【要約】【課題】  簡単にかつ迅速に情報を作成できるシステムを提供する。【解決手段】  広告主であるクライアントは、クライアント端末から情報作成サーバにアクセスして、情報作成サーバの広告作成画面を開く。広告作成画面は、クライアントが情報作成サーバに保存した画像情報１１と、広告に表示する画像を選択する画像用チェックボックス１２と、広告に表示する文字を入力する文字入力手段１３と、広告に表示する文字の角度を入力する文字角度入力手段１４と、広告に表示する文字のフォントを入力するフォント入力手段１５と、選択及び入力した内容を決定する決定ボタン１６と、選択及び入力した内容を取消す取消ボタン１７と、作成された広告を表示する広告表示手段１８とで構成されている。【選択図】  図３
2007048018.tif 000002
【特許請求の範囲】
【請求項１】
ユーザ端末と、クライアント端末と、情報を作成する情報作成サーバとを有する、情報を作成する情報作成システムであって、
前記ユーザ端末は、前記情報作成サーバに要求情報を送信する要求情報送信手段を備え、
前記クライアント端末は、前記情報作成サーバに編集情報を送信する編集情報送信手段を備え、
前記情報作成サーバは、所定の情報を保存する情報保存手段と、
前記編集情報送信手段から送信される編集情報に基づいて、前記情報保存手段に保存された所定の情報を編集する情報編集手段と、
前記要求情報送信手段から送信される要求情報に応じて、前記情報保存手段に保存された情報を前記ユーザ端末に送信する情報送信手段とを備える
情報作成システム。
【請求項２】
前記情報編集手段は、前記情報保存手段に保存された所定の情報である画像情報を選択する画像選択手段と、
文字情報を入力する文字情報入力手段と、
前記画像情報を構成する最小構成要素の、位置情報及び色情報を判別する判別手段と、
作成された情報を表示する情報表示手段とを有する
請求項１に記載の情報作成システム。
【請求項３】
前記情報保存手段は、編集された情報の編集条件を保存する
請求項１または請求項２に記載の情報作成システム。
【請求項４】
情報を作成する情報作成サーバを有する、クライアント端末からの指示に基づいて作成した情報をユーザ端末に配信する情報作成システムであって、
前記情報作成サーバは、前記ユーザ端末から要求情報を受信する要求情報受信手段と、
前記クライアント端末から編集情報を受信する編集情報受信手段と、
所定の情報を保存する情報保存手段と、
前記クライアント端末から送信される編集情報に基づいて、前記情報保存手段に保存された所定の情報を編集する情報編集手段と、
前記ユーザ端末から送信される要求情報に応じて、前記情報保存手段に保存された情報を前記ユーザ端末に送信する情報送信手段とを備える
情報作成システム。
【請求項５】
前記情報編集手段は、前記情報保存手段に保存された所定の情報である画像情報を選択する画像選択手段と、
文字情報を入力する文字情報入力手段と、
前記画像情報を構成する最小構成要素の、位置情報及び色情報を判別する判別手段と、
作成された情報を表示する情報表示手段とを有する
請求項４に記載の情報作成システム。
【請求項６】
前記情報保存手段は、編集された情報の編集条件を保存する
請求項４または請求項５に記載の情報作成システム。
【発明の詳細な説明】
【技術分野】
【０００１】
本発明は情報作成システムに関する。詳しくは、サーバ上で情報を作成及び保存できる情報作成システムに係るものである。
【背景技術】
【０００２】
インターネット上において様々な情報が提供されており、情報提供サービスを行なうために、数多くのウェブサイトが開設されている。ウェブサイトの作成（情報の作成）は、ウェブページを個別にＨＴＭＬ等によって作成し、各ウェブページが階層的な構造を構成するように、ウェブページ間にリンクを設けるようにしている。
【０００３】
ところで、ウェブページはＨＴＭＬ等によって作成されるため、ＨＴＭＬ等に精通している人材が必要であったり、ウェブページを作成するために多くの工程を必要としたりしていた。そこで、このような労力を軽減すべく様々なウェブサイト等の情報を作成するシステムが提案されており、例えば特許文献１には、ウェブページ単位で構成されたセルブロックからなるウェブページエリアを含み、セルブロックは、セル毎に入力可能なデータの種類や形式が設定されると共に、端末装置のブラウザにウェブサイトを表示させるのに必要な情報を表形式で記述された１つの基準ファイルに基づいて、基準ファイルのセルブロック毎にウェブサーバで解釈可能なページ記述言語に変換してコンテンツファイルを生成し、ウェブサイト表示用のコンテンツファイルを自動的に生成する手段を備えるウェブサイト作成支援システムが開示されている。これによりウェブサイト管理者はＨＴＭＬ等の記述言語に精通していなくても、ウェブサイトを比較的容易に構築できる。
【０００４】
【特許文献１】特開２００４−３２６５１４
【発明の開示】
【発明が解決しようとする課題】
【０００５】
しかしながら、従来の方法は、変換されたコンテンツファイルを端末装置からウェブサーバの所定のディレクトリにアップロードする必要があり、このような方法では、インターネットのウェブサイト上に掲載される広告のように広告対象となる商品を頻繁に変更する場合、変更のたびに端末装置でコンテンツファイルを生成しそしてアップロードするという作業が必要なため煩雑であり、しかも変換ソフトを端末装置にインストールする必要があり、更に簡単にかつ迅速に広告情報等の情報の作成を行なえるシステムが要望されていた。
【０００６】
本発明は、以上の点に鑑みて創案されたものであり、簡単にかつ迅速に情報を作成できるシステムを提供することを目的とする。
【課題を解決するための手段】
【０００７】
上記の目的を達成するために、本発明の情報作成システムは、ユーザ端末と、クライアント端末と、情報を作成する情報作成サーバとを有する、情報を作成する情報作成システムであって、前記ユーザ端末は、前記情報作成サーバに要求情報を送信する要求情報送信手段を備え、前記クライアント端末は、前記情報作成サーバに編集情報を送信する編集情報送信手段を備え、前記情報作成サーバは、所定の情報を保存する情報保存手段と、前記編集情報送信手段から送信される編集情報に基づいて、前記情報保存手段に保存された所定の情報を編集する情報編集手段と、前記要求情報送信手段から送信される要求情報に応じて、前記情報保存手段に保存された情報を前記ユーザ端末に送信する情報送信手段とを備える。
【０００８】
ここで、情報作成サーバが情報編集手段を備えていることによって、ウェブサイト等を作成するにあたり端末装置に編集ソフトをインストールする必要がなく、情報作成サーバと通信可能な端末装置であれば、どのような装置であっても情報を作成でき、端末装置の環境に左右されない。なお、ここでいう「所定の情報」とは、静止画及び動画を含む画像情報、文字情報並びに音声情報等を意味する。
【０００９】
また、上記の目的を達成するために、本発明の情報作成システムは、情報を作成する情報作成サーバを有する、クライアント端末からの指示に基づいて作成した情報をユーザ端末に配信する情報作成システムであって、前記情報作成サーバは、前記ユーザ端末から要求情報を受信する要求情報受信手段と、前記クライアント端末から編集情報を受信する編集情報受信手段と、所定の情報を保存する情報保存手段と、前記クライアント端末から送信される編集情報に基づいて、前記情報保存手段に保存された所定の情報を編集する情報編集手段と、前記ユーザ端末から送信される要求情報に応じて、前記情報保存手段に保存された情報を前記ユーザ端末に送信する情報送信手段とを備える。
【００１０】
ここで、情報作成サーバが情報編集手段を備えていることによって、ウェブサイト等を作成するにあたり端末装置に編集ソフトをインストールする必要がなく、情報作成サーバと通信可能な端末装置であれば、どのような装置であっても情報を作成でき、端末装置の環境に左右されない。なお、ここでいう「所定の情報」とは、静止画及び動画を含む画像情報、動的及び静的な文字情報並びに音声情報等を意味する。
【発明の効果】
【００１１】
本発明に係る情報作成システムは、簡単にかつ迅速に情報を作成できる。
【発明を実施するための最良の形態】
【００１２】
以下、本発明の実施の形態について図面を参照しながら説明し、本発明の理解に供する。図１は、本発明を適用した情報作成システムの一例を示す概略ブロック図である。図１において、情報作成システムは、情報作成サーバ１と、ユーザ端末７と、クライアント端末９からなり、情報作成サーバ１とユーザ端末７、並びに情報作成サーバ１とクライアント端末９はそれぞれ互いにインターネット６を介して通信可能である。ここで、情報作成サーバとユーザ端末、並びに情報作成サーバとクライアント端末がそれぞれ通信可能な状態であれば、有線による通信でも無線による通信でもよい。なお、ここでいう「端末」とは、情報作成サーバと通信が可能な機器を意味し、例えばインターネットに接続できる携帯可能な通信機器（携帯電話機等）や、インターネットに接続可能なコンピュータ等が挙げられる。また、通信可能であれば、必ずしもインターネットに接続しなくてもよく、端末とサーバがＬＡＮ接続や専用線接続等によって通信可能な状態になっていてもよい。
【００１３】
また、情報作成サーバ１は、静止画及び動画を含む画像情報、文字情報並びに音声情報等を保存するよう構成された情報保存手段２と、クライアント端末から送信される編集情報に基づいて、情報保存手段に保存された所定の情報を編集するよう構成された情報編集手段３と、ユーザ端末から送信される要求情報に応じて、情報保存手段に保存された情報をユーザ端末に送信するよう構成された情報送信手段４と、所定の情報が編集されて、保存内容が更新された場合に更新情報をユーザ端末に通知するよう構成された更新情報通知手段５とを備えている。
【００１４】
更に、ユーザ端末７は、情報作成サーバに保存されている情報を送信するよう要求する要求情報を情報作成サーバに送信するよう構成された要求情報送信手段８を備え、クライアント端末９は、情報作成サーバに保存されている画像情報や文字情報等をどのように編集するかについての編集情報を情報作成サーバに送信するよう構成された編集情報送信手段１０を備えている。
【００１５】
ここで、情報作成サーバが、情報保存手段と、情報編集手段と、情報送信手段とを備えていれば、情報作成サーバは必ずしも更新情報通知手段を備えていなくてもよい。この更新情報通知手段として例えば電子メールを用いることができ、事前にメールアドレスを登録していたユーザのユーザ端末に更新情報を通知する。
【００１６】
次に、図２及び図３を参照して、本発明を適用した情報作成システムにて広告を作成する工程を説明する。ここで、図２は、本発明を適用した情報作成システムにて広告を作成する工程を示す概略フロー図であり、図３は、広告作成画面の一例を示す概略説明図である。なお、ここでは、広告作成について説明しているが、広告以外の情報も作成できることは勿論である。
【００１７】
先ず、広告主であるクライアントは、クライアント端末から情報作成サーバにアクセスして、情報作成サーバの広告作成画面を開く（ステップＳ１）。広告作成画面は、クライアントが情報作成サーバに保存した画像情報１１と、広告に表示する画像を選択する画像用チェックボックス１２（情報編集手段の画像選択手段の一例）と、広告に表示する文字を入力する文字入力手段１３（情報編集手段の文字情報入力手段の一例）と、広告に表示する文字の角度を入力する文字角度入力手段１４（情報編集手段の文字情報入力手段の一例）と、広告に表示する文字のフォントを入力するフォント入力手段１５（情報編集手段の文字情報入力手段の一例）と、選択及び入力した内容を決定する決定ボタン１６と、選択及び入力した内容を取消す取消ボタン１７と、作成された広告を表示する広告表示手段１８（情報編集手段の情報表示手段の一例）とで構成されている。
【００１８】
次に、保存されている画像情報１１から、広告に載せたい画像を選択すると共に、広告に表示する文字の入力、文字の角度そして文字のフォントを選択する（ステップＳ２）。そして、決定ボタンを押すと作成された広告が広告表示手段に表示される（ステップＳ３）。表示された広告の内容で良ければ、広告を情報作成サーバの情報保存手段に保存する（ステップＳ４）。
【００１９】
ここで、広告表示手段に表示された画像と文字が重なっているが、これは、例えば、情報作成サーバの情報保存手段に圧縮して保存されていた画像（ジェイペグ（ＪＰＥＧ）等）を非圧縮画像（ビットマップ（ＢＭＰ）等）に変換すると共にピクセル（画像の最小構成要素）毎の位置情報と色情報を、情報作成サーバの判別手段によって判別し、文字を重ねたいピクセルを特定して、そのピクセルの色を文字の色に変更することによって行なわれる。また、画像と文字、場合によっては更に音声とも組み合わされた広告は、広告そのもの即ち画像や文字が組み合わされた状態か若しくは選択された画像と入力された文字と、場合によっては更に入力された音声とに分けて即ち編集条件の少なくとも一方で情報作成サーバの情報保存手段に保存される。
【００２０】
このように、本発明を適用した情報作成システムは、情報作成サーバが、所定の情報を保存する情報保存手段や、クライアント端末から送信される編集情報に基づいて情報保存手段に保存された所定の情報を編集する情報編集手段を備えているので、サーバ上でウェブサイトや広告等の情報を作成し保存することができる。また、サーバ上でウェブサイトや広告等の情報を作成できるので、ウェブサイト等を作成するにあたり端末装置に編集ソフトをインストールする必要がなく、情報作成サーバと通信可能な端末装置であれば、どのような装置であっても情報を作成でき、端末装置の環境に左右されず、よって簡単にかつ迅速に情報を作成できる。また、作成した情報をアップロードする必要もなく、即座にインターネット上に広告を載せることができる。
【００２１】
また、情報作成サーバに端末装置からアクセスし、そして画像を選択し、文字を入力するだけで広告等を作成できるので、特別なアプリケーションソフトやプラグイン等をダウンロードする必要はなく、また、ＨＴＭＬの知識がなくても広告等を作成することができる。
【００２２】
更に、情報作成サーバは更新情報通知手段を備えているので、ユーザに更新情報を迅速に通知することができる。通知を受けたユーザは、ユーザ端末から情報作成サーバにアクセスして、更新された情報（例えば広告）を見ることができる。
【００２３】
また、作成された広告等の情報を、選択された画像、入力された文字、入力された音声といった編集条件として情報作成サーバの情報保存手段に保存するので、情報作成サーバに対する負荷を軽減できる。
【図面の簡単な説明】
【００２４】
【図１】本発明を適用した情報作成システムの一例を示す概略ブロック図である。
【図２】本発明を適用した情報作成システムにて広告を作成する工程を示す概略フロー図である。
【図３】広告作成画面の一例を示す概略説明図である。
【符号の説明】
【００２５】
１    情報作成サーバ
２    情報保存手段
３    情報編集手段
４    情報送信手段
５    更新情報通知手段
６    インターネット
７    ユーザ端末
８    要求情報送信手段
９    クライアント端末
１０    編集情報送信手段
１１    画像情報
１２    画像用チェックボックス
１３    文字入力手段
１４    文字角度入力手段
１５    フォント入力手段
１６    決定ボタン
１７    取消ボタン
１８    広告表示手段
【図１】
2007048018.tif 000003
【図２】
2007048018.tif 000004
【図３】
2007048018.tif 000005